(57)【要約】【課題】  同軸ケーブル２０の接続を容易かつ安定的に行わせることを可能とする。【解決手段】  同軸ケーブル２０が組み込まれる前の段階で連結用金属板（グランドバー）１１ｆを予めコネクタハウジング１１側に組み込んでおくことによって、連結用金属板１１ｆを同軸ケーブル２０に連結するという不安定な工程を省略するとともに、連結用金属板の必要枚数を低減し、しかも同軸ケーブル２０の外部導体２０ｂの半田接続工程を確実かつ安定的に行い得るように構成したもの。【選択図】      図３
2006221863.tif 000002
【特許請求の範囲】
【請求項１】
略平行に並列された複数本の同軸ケーブルの各中心導体がそれぞれ接続される複数体の導電端子と、
それら複数体の導電端子が並列状態にて収容された細長状の絶縁部材からなるコネクタハウジングと、
前記複数本の同軸ケーブルの各々に設けられた外部導体どうしを前記同軸ケーブルの並列方向に掛け渡すように配置された細長状の連結用金属板と、
を備えたケーブル用電気コネクタにおいて、
前記連結用金属板が、前記コネクタハウジングに装備されたものであって、
その連結用金属板に対して、前記同軸ケーブルの外部導体が半田接続される構成になされていることを特徴とするケーブル用電気コネクタ。
【請求項２】
前記連結用金属板は、前記同軸ケーブルの外部導体が半田接続されていない部位で嵌合相手のコネクタ側に接続されるように構成されていることを特徴とする請求項１記載のケーブル用電気コネクタ。
【請求項３】
細長状の絶縁部材からなるコネクタハウジングの内部に略平行に配列した複数体の導電端子に対して、複数本の同軸ケーブルの各々に設けた中心導体を接続する一方、
それら同軸ケーブルの各々に設けた外部導体の複数体を細長状の連結用金属板により同軸ケーブルの並列方向に掛け渡して連結するようにしたケーブル用電気コネクタの製造方法において、
前記同軸ケーブルを接続する前に、前記コネクタハウジングに対して前記連結用金属板を前記同軸ケーブルの並列方向に沿って延在するように予め装備しておき、
そのコネクタハウジングに予め装備した前記連結用金属板に対して、前記同軸ケーブルの外部導体を半田接続するようにしたことを特徴とするケーブル用電気コネクタの製造方法。
【発明の詳細な説明】
【技術分野】
【０００１】
本発明は、同軸ケーブルの外部導体を並列方向に掛け渡す連結用金属板を備えたケーブル用電気コネクタおよびその製造方法に関する。
【背景技術】
【０００２】
一般に、例えば下記の特許文献１に記載されているようなケーブル用電気コネクタが、種々の電気機器において広く用いられている。ケーブル用電気コネクタは、略平行に並列された複数本の同軸ケーブルの端末部分に装着された状態で、相手方のコネクタに嵌合されることによって信号伝送を可能とするように使用されるものであるが、そのようなケーブル用電気コネクタの組付工程を説明すると概略次のようになっている。
【０００３】
まず図１２に示されているように、同軸ケーブル１の端末部分に対する被膜剥きを実行することによって中心導体１ａ、およびその外周を覆う外部導体１ｂを露出させ、ついで図１３に示されているように複数本にわたって並列された各同軸ケーブル１，１，・・・の外部導体１ｂ，１ｂ，・・・に、細長の板状部材からなる一対の連結用金属板（グランドバー）２，２を上下から挟み込むように接触させて、当該連結用金属板２，２を半田付けまたはカシメにより連結する。これによって、複数体の外部導体１ｂ，１ｂ，・・・どうしが前記連結用金属板（グランドバー）２，２により並列方向に沿って掛け渡されることとなる。
【０００４】
一方、図１４に示されているように、細長状の絶縁部材からなるコネクタハウジング３の内部には、複数体の導電端子（コンタクト）４，４，・・・が所定のピッチ間隔で略平行に配列されており、それらの各導電端子４の上方に、上述した連結用金属板２，２を連結した同軸ケーブル１を配置して、それらの各同軸ケーブル１の中心導体１ａが半田バー（図示省略）を介して導電端子４の直上位置にセットされる。そして図１５に示されているように、各同軸ケーブル１の中心導体１ａが対応する導電端子４に対してそれぞれ半田接続される。このとき、上述した同軸ケーブル１の外部導体１ｂ，１ｂ，・・・どうしを連結している連結用金属板（グランドバー）２は、コネクタハウジング３に設けられた位置決め用凹部（図示省略）の内部に固着されるようになっている。
【０００５】
そして最後に、図１６および図１７に示されているように、コネクタハウジング３の上方側からシェル５の組込が行われ、そのシェル５に設けられたシェルバネ５ａ，５ａが、上述した連結用金属板２の表面上または同軸ケーブル１の外部導体１ｂ上に圧接される。なお、シェルバネが設けられていないシェルに対しては半田接続が行われる。
【０００６】
ところが、このような構造を備えた従来のケーブル用電気コネクタに対して同軸ケーブルを接続するにあたっては、上述したように同軸ケーブル１の外部導体１ｂ，１ｂ，・・・どうしを一対の連結用金属板（グランドバー）２，２により挟み込むようにして連結しているため、複数枚（２枚）の連結用金属板２を必要としてコスト高になっているとともに、その連結用金属板２を同軸ケーブル１側に連結する工程が不安定になり易く、生産性の低下を招来することが多くなっている。
【０００７】
【特許文献１】特許第３３８３２２２号公報
【発明の開示】
【発明が解決しようとする課題】
【０００８】
そこで本発明は、同軸ケーブルの接続を、容易かつ安定して行わせることができるようにしたケーブル用電気コネクタおよびその製造方法を提供することを目的とする。
【課題を解決するための手段】
【０００９】
上記目的を達成するため請求項１にかかるケーブル用電気コネクタでは、略平行に並列された複数本の同軸ケーブルの各中心導体がそれぞれ接続される複数体の導電端子と、それら複数体の導電端子が並列状態にて収容された細長状の絶縁部材からなるコネクタハウジングと、前記複数本の同軸ケーブルの各々に設けられた外部導体どうしを前記同軸ケーブルの並列方向に掛け渡すように配置された細長状の連結用金属板とを備えたケーブル用電気コネクタにおいて、前記連結用金属板が前記コネクタハウジングに装備されたものであって、その連結用金属板に対して前記同軸ケーブルの外部導体が半田接続される構成になされている。
【００１０】
また、請求項３にかかるケーブル用電気コネクタの製造方法では、細長状の絶縁部材からなるコネクタハウジングの内部に略平行に配列した複数体の導電端子に対して複数本の同軸ケーブルの各々に設けた中心導体を接続する一方、それら同軸ケーブルの各々に設けた外部導体の複数体を細長状の連結用金属板により同軸ケーブルの並列方向に掛け渡して連結するようにしたケーブル用電気コネクタの製造方法において、前記同軸ケーブルを接続する前に、前記コネクタハウジングに対して前記連結用金属板を前記同軸ケーブルの並列方向に沿って延在するように予め装備しておき、そのコネクタハウジングに予め装備した連結用金属板に対して前記同軸ケーブルの外部導体を半田接続するようにしている。
【００１１】
このような構成を有する請求項１にかかるケーブル用電気コネクタまたは請求項３にかかるケーブル用電気コネクタの製造方法によれば、同軸ケーブルが組み込まれる前の段階において、連結用金属板がコネクタハウジングに予め組み込まれているため、同軸ケーブルに対して連結用金属板を連結するという不安定な工程が省略されるとともに、従来では２枚必要であった連結用金属板が１枚で済む。さらに、その連結用金属板に対する同軸ケーブルの外部導体の半田接続工程がコネクタ全体を支持しながら行うことが可能となり、当該半田接続工程が確実かつ安定的に行われるようになっている。
【発明の効果】
【００１２】
以上述べたように本発明にかかるケーブル用電気コネクタまたはケーブル用電気コネクタの製造方法は、同軸ケーブルが組み込まれる前の段階で連結用金属板を予めコネクタハウジングに組み込んでおくことによって、連結用金属板を同軸ケーブルに連結するという不安定な工程を省略するとともに、連結用金属板の必要枚数を低減し、しかも同軸ケーブルの外部導体の半田接続工程を確実かつ安定的に行い得るように構成したものであるから、同軸ケーブルの接続を容易かつ安定的に行わせることができ、ケーブル用電気コネクタの生産性を向上させつつ信頼性を高めることができる。
【発明を実施するための最良の形態】
【００１３】
以下、本発明の実施形態を図面に基づいて詳細に説明する。
図１に示されている本発明の一実施形態にかかるケーブル用電気コネクタ１０は、略平行に並列された複数本の同軸ケーブル２０，２０，・・・の端末部分が接続されている。そして、その同軸ケーブル２０を接続されたケーブル用電気コネクタ１０は、嵌合相手の電気コネクタ３０の直上に配置された状態で、前記各同軸ケーブル２０の延在方向と略直交する方向（図示下方向）に向かって押し込まれて、それによって図２に示されているような嵌合状態になされる。
【００１４】
このケーブル用電気コネクタ１０は、図３、図４および図５にも示されているように、合成樹脂製の細長状絶縁部材からなるコネクタハウジング１１を備えている。このコネクタハウジング１１は、平板状をなすように形成されたハウジング基板１１ａを有していて、そのハウジング基板１１ａの底面側（図示下面側）には、コネクタ嵌合方向（図示下方向）に向かって略平行に突出する一対の脚部１１ｂ，１１ｃが設けられている。
【００１５】
これら一対の脚部１１ｂ，１１ｃは、前述した嵌合相手の電気コネクタ３０と嵌合可能な形状に形成されているが、それら一対の脚部１１ｂ，１１ｃのうち、上述した同軸ケーブル２０の先端側に位置する一方側の脚部１１ｂには、その内側表面に沿うようにして導電端子（コンタクト）１１ｄが配置されている。その導電端子（コンタクト）１１ｄは、前記コネクタハウジング１１の内部にインサート成型などにより埋設された状態で収容されていて、複数体のものが互いに略平行に並設された構造になされており、前記同軸ケーブル２０の並列方向に沿って当該同軸ケーブル２０と同数かつ同ピッチ間隔で配列されている。
【００１６】
それらの導電端子１１ｄ，１１ｄ，・・・は、適宜に湾曲された断面形状をなすように形成されており、上述した一方側の脚部１１ｂの内側表面に沿って図示上方側に延在した後、前記ハウジング基板１１ａの内部を通って基板表面（図示上面）上に露出して、その露出部分がケーブル接続部１１ｅに形成されている。そして、そのケーブル接続部１１ｅに対して、前記各同軸ケーブル２０の先端部分を被覆剥きして露出された中心導体２０ａが上方側から押し付けられて半田付けにて接続されている。
【００１７】
さらに、上述したハウジング基板１１ａの基板表面（図示上面）上には、前記導電端子（コンタクト）１１ｄのケーブル接続部１１ｅから同軸ケーブル２０の延在方向にやや離れた位置、すなわち他方の脚部１１ｃの直上位置に、板状部材からなる連結用金属板（グランドバー）１１ｆが装備されている。この連結用金属板（グランドバー）１１ｆは、前記複数本の同軸ケーブル２０の並列方向に沿って延在する細長状の部材から形成されており、上述したコネクタハウジング１１のハウジング基板１１ａに対してインサート成型やカシメなどにより組み込まれている。
【００１８】
そして、この連結用金属板１１ｆの上側露出表面には、前記各同軸ケーブル２０の端末部分を被覆剥きすることにより露出された外部導体２０ｂが、上方側から押し付けられるようにして圧接された状態で半田付けにより接続されている。すなわち、その連結用金属板１１ｆは、同軸ケーブル２０の外部導体２０ｂが半田接続される前の段階において前記コネクタハウジング１１に予め組み込まれたものであって、複数本の同軸ケーブル２０の外部導体２０ｂが半田接続された状態で、それら複数体の外部導体２０ｂ，２０ｂ，・・・どうしを並列方向に掛け渡すようにして連結する構成になされている。
【００１９】
さらに、上述したコネクタハウジング１１の上方側には、当該コネクタハウジング１１の全体を覆うようにして細長状の金属カバー部材からなるシェル１２が装着されている。このシェル１２の略中央部分には、前記同軸ケーブル２０の外部導体２０ｂに対応する位置に内方凸部１２ａが形成されており、その内方凸部１２ａが前記各同軸ケーブル２０の外部導体２０ｂに対して上方側から圧接されていることによって、当該同軸ケーブル２０の全体がコネクタハウジング１１側に押し付けられている。
【００２０】
このようなシェル１２の長手方向の両端部分、つまり同軸ケーブル２０の半田接続部以外の両端部位にはグランド接続部１２ｂ，１２ｂがそれぞれ設けられており、それらの各グランド接続部１２ｂが前記脚部１１ｃの外表面に沿うように配置されている。これらのグランド接続部１２ｂ，１２ｂは、前述した嵌合相手のコネクタ３０側に設けられたグランド受部３０ａ，３０ａ（図１参照）にそれぞれ嵌合される構成になされている。
【００２１】
次に、このような構造を有するケーブル用電気コネクタ１０に同軸ケーブル２０を組み付ける工程を説明する。
【００２２】
まず図６に示されているように、略平行に並列された複数本の同軸ケーブル２０，２０，・・・の各端末部分に対して被膜剥きを行い、中心導体２０ａ、およびその外周を覆う外部導体２０ｂを露出させる。ついで、図７および図８に示されているように、各同軸ケーブル２０の端末部分をケーブル用電気コネクタ１０のコネクタハウジング１１の上方に配置し、それら各同軸ケーブル２０の中心導体２０ａを、導電端子（コンタクト）１１ｄに設けられたケーブル接続部１１ｅの直上位置に半田バー４１を介して配置する。また各同軸ケーブル２０の外部導体２０ｂを、連結用金属板（グランドバー）１１ｆの直上位置に半田バー４２を介して配置する。
【００２３】
そして、同軸ケーブル２０をケーブル用電気コネクタ１０のコネクタハウジング１１側に下降させて図９に示されているように密着させた後に、各同軸ケーブル２０の中心導体２０ａを導電端子（コンタクト）１１ｄのケーブル接続部１１ｅに半田付けするとともに、同軸ケーブル２０の外部導体２０ｂを連結用金属板（グランドバー）１１ｆに対して半田付けして、各々を電気的に接続する。
【００２４】
さらに図１０に示されているように、コネクタハウジング１１に対してシェル１２を上方側から被せるようにして取り付け、当該シェル１２の内方凸部１２ａを同軸ケーブル２０の外部導体２０ｂに上方側から圧接させる。このとき、上述したシェル１２の内方凸部１２ａの替わりに、例えば片持ち状のバネ部材を設けてシェルバネ構造をなすように形成することも可能である。
【００２５】
このような構成を有する本実施形態にかかるケーブル用電気コネクタ１０を用いれば、同軸ケーブル２０が組み込まれる前に連結用金属板（グランドバー）１１ｆが予め絶縁部材からなるコネクタハウジング１１に組み込まれているため、従来のように同軸ケーブルに対して連結用金属板を連結するという不安定な工程が省略されるとともに、従来２枚必要であった連結用金属板が一枚で済むこととなる。
【００２６】
さらに、同軸ケーブル２０の外部導体２０ｂの半田接続工程を、コネクタ全体を支持しながら行うことが可能となるため、そのときの半田接続工程が確実かつ安定的に行われるようになっている。
【００２７】
以上本発明者によってなされた発明を実施形態に基づき具体的に説明したが、本発明は上記実施形態に限定されるものではなく、その要旨を逸脱しない範囲で種々変形可能であるというのはいうまでもない。
【００２８】
例えば上述した実施形態では、同軸ケーブルの延在方向に対して略直交する方向にコネクタを嵌合する構成になされているが、種々の方向に嵌合するコネクタに対しても本発明は同様に適用することができるものである。
【産業上の利用可能性】
【００２９】
以上述べた本発明にかかるケーブル用電気コネクタは、各種電気機器に使用する多種多様な電気コネクタに対して広く適用することが可能である。
【図面の簡単な説明】
【００３０】
【図１】本発明の一実施形態にかかるケーブル用電気コネクタを、相手方のコネクタに嵌合する直前の状態を表した外観斜視説明図である。
【図２】図１に示された本発明の一実施形態にかかるケーブル用電気コネクタを、相手方のコネクタに嵌合した後の状態を表した外観斜視説明図である。
【図３】図１および図２に示された本発明の一実施形態にかかるケーブル用電気コネクタの内部構造を表した縦断面説明図である。
【図４】図３に示された本発明の一実施形態にかかるケーブル用電気コネクタの断面部分に対応する斜視説明図である。
【図５】図１および図２に示された本発明の一実施形態にかかるケーブル用電気コネクタからシェルを取り外した状態の端部構造を表した外観斜視説明図である。
【図６】同軸ケーブルの端末部分に対して被膜剥きを行った状態を表した外観斜視説明図である。
【図７】図６に示された同軸ケーブルの端末部分を本発明にかかるケーブル用電気コネクタに対して装着する直前の状態を表した外観斜視説明図である。
【図８】図６に示された同軸ケーブルの端末部分を本発明にかかるケーブル用電気コネクタに対して装着する直前の状態を表した縦断面説明図である。
【図９】図６および図７に示された状態から同軸ケーブルの端末部分をケーブル用電気コネクタに装着した直後の状態を表した外観斜視説明図である。
【図１０】図９に示された状態に対してシェルを装着する直前の状態を表した外観斜視説明図である。
【図１１】図９に示された状態に対してシェルを装着する直前の状態を表した縦断面説明図である。
【図１２】同軸ケーブルの端末部分に対して被膜剥きを行った状態を表した側面説明図である。
【図１３】図１２に示された同軸ケーブルの端末部分に対して、従来から用いられている連結用金属板（グランドバー）を装着した状態を表した外観斜視説明図である。
【図１４】図１３に示された従来の連結用金属板（グランドバー）付き同軸ケーブルの端末部分を、同じく従来のケーブル用電気コネクタに対して装着する直前の状態を表した外観斜視説明図である。
【図１５】図１３に示された従来の連結用金属板（グランドバー）付き同軸ケーブルの端末部分を、同じく従来のケーブル用電気コネクタに対して装着した直後の状態を表した外観斜視説明図である。
【図１６】図１５に示された状態に対してシェルを装着する直前の状態を表した外観斜視説明図である。
【図１７】図１６に示された状態に対してシェルを装着した直後の状態を表した外観斜視説明図である。
【符号の説明】
【００３１】
１０  ケーブル用電気コネクタ
１１  コネクタハウジング
１１ａ  ハウジング基板
１１ｂ，１１ｃ  脚部
１１ｄ  導電端子（コンタクト）
１１ｅ  ケーブル接続部
１１ｆ  連結用金属板（グランドバー）
１２  シェル
１２ａ  内方凸部
１２ｂ  グランド接続部
２０  同軸ケーブル
２０ａ  中心導体
２０ｂ  外部導体
３０  嵌合相手の電気コネクタ
３０ａ  グランド受部
【図１】
2006221863.tif 000003
【図２】
2006221863.tif 000004
【図３】
2006221863.tif 000005
【図４】
2006221863.tif 000006
【図５】
2006221863.tif 000007
【図６】
2006221863.tif 000008
【図７】
2006221863.tif 000009
【図８】
2006221863.tif 000010
【図９】
2006221863.tif 000011
【図１０】
2006221863.tif 000012
【図１１】
2006221863.tif 000013
【図１２】
2006221863.tif 000014
【図１３】
2006221863.tif 000015
【図１４】
2006221863.tif 000016
【図１５】
2006221863.tif 000017
【図１６】
2006221863.tif 000018
【図１７】
2006221863.tif 000019